(57)【特許請求の範囲】
【請求項１】
洋風便器に設置され、温水を人体に向けて噴出するノズルを有した温水洗浄装置において、
ノズルをその軸心回りに回動させることにより、該ノズルの先端からの温水の噴出方向を洋風便器の左右方向に調節可能とした温水洗浄装置であって、
該ノズルは、シリンダと、該シリンダの先端から突出可能なノズル本体とを備えており、
該シリンダは筒状のシリンダホルダ内に軸心回りに自転自在に挿入されており、
該シリンダホルダには周方向に延在するガイド孔が設けられており、
該シリンダの外周面からピンが突設されており、
このピンとガイド孔とが係合し、これにより、該シリンダの軸心周りの回動範囲が規制されていることを特徴とする温水洗浄装置。
【請求項２】
請求項１において、該シリンダの先端開口は非円形であり、該ノズル本体もこの非円形となっており、該ノズル本体が該シリンダの先端開口に挿通されることにより、該ノズル本体はシリンダに対して軸心回りに回動不能となっていることを特徴とする温水洗浄装置。
【発明の詳細な説明】
【０００１】
【発明の属する技術分野】
本発明は、人体臀部を温水で洗浄するための温水洗浄装置に係り、特に、臀部に洗浄水が当る位置を調節する機構を備えた温水洗浄装置に関する。
【０００２】
【従来の技術】
洋風便器などの便器に温水洗浄装置を設置し、用便後等に臀部を温水で洗浄可能としたトイレ設備が急速に普及しつつある。この温水洗浄装置は、多くの場合、シリンダ及び該シリンダの先端から突出自在なノズル本体を有した洗浄ノズルを備えている。このシリンダの後部に温水を供給すると、この水圧によってノズル本体が前進してシリンダから突出し、その先端から温水が噴出して臀部が洗浄される。水圧前進方式のほかに、モータ等によってノズル本体を前進させる機構も用いられている。本発明は、いずれのノズル前進機構のものにも適用できる。
【０００３】
このような温水洗浄装置のノズルから噴出した温水が臀部に当ることにより、該臀部が温水で洗浄される。この温水の当る臀部表面位置を使用者の好みの位置とするために、ノズル位置の調節機構が温水洗浄装置に設けられている。従来の温水洗浄装置の多くのものは、ノズルをラックアンドビニオン機構によって前後進させ，臀部に温水が当る位置を前後方向に調節するようにしている。
【０００４】
特開２０００−１４４８４７号には、このようなノズルの前後進機構に加え、ノズルを左右方向に旋回動させることにより臀部に温水が当る位置を左右方向で調節する機構を備えた温水洗浄装置が記載されている。
【０００５】
上記の特開２０００−１４４８４７号にあっては、ノズルの前後方向の中間に球状の支持駒を突設し、この支持駒を回動中心としてノズルを左右旋回可能としている。
【０００６】
【発明が解決しようとする課題】
▲１▼  このようにノズルを左右に旋回させて温水の当る位置を左右調節する機構の温水洗浄装置にあっては、温水洗浄装置のハウジング（ケーシング）内にノズルの旋回移動用のスペースを設けておく必要があり、ノズルの設置用スペースが広く必要となる。
【０００７】
本発明は、このようなスペースをとることなく温水の当る位置を左右調節することができる温水洗浄装置を提供することを第１の目的とする。
【０００８】
▲２▼  また、上記特開２０００−１４４８４７号ではジョイスティックと称される操作機を手で操作することによりノズルを前後進及び左右旋回させるようにしているが、該ジョイスティックを大きく傾動させ易く、温水の当る位置を微調節することには難がある。また、不用意にジョイスティックに触れ易く、洗浄水の当る位置が使用者の意に反して動くことも多い。
【０００９】
本発明は、このような不便を解消し、温水の当る位置を意図通りに調節することができる温水洗浄装置を提供することを目的とする。
【００１０】
【課題を解決するための手段】
本発明の温水洗浄装置は、洋風便器に設置され、温水を人体に向けて噴出するノズルを有した温水洗浄装置において、ノズルをその軸心回りに回動させることにより、該ノズルの先端からの温水の噴出方向を洋風便器の左右方向に調節可能とした温水洗浄装置であって、該ノズルは、シリンダと、該シリンダの先端から突出可能なノズル本体とを備えており、該シリンダは筒状のシリンダホルダ内に軸心回りに自転自在に挿入されており、該シリンダホルダには周方向に延在するガイド孔が設けられており、該シリンダの外周面からピンが突設されており、このピンとガイド孔との係合し、これにより、該シリンダの軸心周りの回動範囲が規制されていることを特徴とするものである。
【００１１】
かかる温水洗浄装置にあっては、ノズルをその軸心回りに回動させることにより、臀部に温水が当る位置を左右方向で調節することができる。この温水洗浄装置にあっては、ノズルが旋回しないから、旋回用のスペースを設けることが不要であり、温水洗浄装置のハウジング（ケーシング）内のスペースを有効に利用することができる。
【００１２】
本発明の温水洗浄装置にあっては、ダイヤルを手動操作してノズルを軸心回りに回動させるよう構成するのが好ましい。このダイヤル操作は、指先で行うものであり、微調節し易い。また、意図せずに手などが当たることが殆どなく、また仮に当ったとしてもダイヤルがはなはだしく回ることもきわめて少ないので、温水の当る位置が意に反して移動することは殆どない。
【００１３】
【発明の実施の形態】
以下、図面を参照して実施の形態について説明する。図１は実施の形態に係る温水洗浄装置の要部斜視図、図２は前後進機構及びノズル回動機構を備えた該温水洗浄装置の要部斜視図、図３，４は図２のIII−III線及びIV−IV線に沿う断面図である。
【００１４】
この温水洗浄装置は、第１洗浄ノズル１０と第２洗浄ノズル２０とを備えている。各洗浄ノズル１０，２０は、シリンダ１２，２２と、該シリンダ１２，２２の先端から突出可能なノズル本体１４，２４とを備えており、ノズル本体１４，２４の先端部の上面に温水の噴出孔１４ａ，２４ａ（２４ａは図示略）が設けられている。また、ノズル本体１４，２４の先端面には摘み１４ｂ，２４ｂが設けられており、この摘み１４ｂ，２４ｂを摘んでノズル本体１４，２４を引張り出すことが可能となっている。シリンダ１２，２２内にはリターンスプリング（図示略）が設けられており、ノズル本体１４，２４をシリンダ１２，２２内に後退させるように付勢している。
【００１５】
シリンダ１２，２２の後部にそれぞれフレキシブルな第１分岐ホース１６と第２分岐ホース２６を介して切替装置３０が接続されている。この切替装置３０は、ステップモータ３２と弁機構３４とを備えており、フィードホース３８からの温水を第１フィードパイプ１６及び第２フィードパイプ２６のいずれかに分配するよう構成されている。フィードホース３８の上流端は温水タンクに接続されている。
【００１６】
切替装置３０によって温水が第１分岐ホース１６から第１シリンダ１２に供給された場合、第１ノズル本体１４が前進し、噴出口１４ａから温水が噴出して臀部洗浄（所謂シャワー洗浄）が行われる。
【００１７】
切替装置３０によって温水が第２分岐ホース２６から第２シリンダ２２に供給された場合、第２ノズル本体２４が前進し、噴出口２４ａから温水が噴出し、ビデ洗浄が行われる。
【００１８】
この洗浄ノズル１０，２０のシリンダ１２，２２はいずれも筒状のシリンダホルダ６０，６２内に軸心回りに自転自在に挿入されている。シリンダホルダ６０，６２には周方向に延在するスリット状のガイド孔６４，６６が設けられている。シリンダ１２，２２の外周面から突設されたピン６８，６９が該ガイド孔６４，６６内に嵌合している。このピン６８，６９とガイド孔６４，６６との係合により、シリンダホルダ６０，６２に対し、シリンダ１２，２２の軸心線方向の移動が阻止されている。また、ピン６８，６９とガイド孔６４，６６とによりシリンダ１２，２２の回動範囲が規制されている。
【００１９】
このシリンダホルダ６０，６２同士は連結プレート（以下、プレートと略）４０と共に一体成形されている。
【００２０】
図３，４の通り、このプレート４０の下面には複数対の脚部４２がシリンダホルダ６０，６２の略々長手方向に沿うように配列されている。左右の各脚部４２の下部からは互いに離反する外側方向に張出部４４が設けられている。左右の張出部４４，４４同士はシリンダホルダ６０，６２の略長手方向に互いに平行に延在している。また、プレート４０の下面には張出部４４と平行なラック４８が設けられている。
【００２１】
プレート４０の下方にベース板５０がプレート４０と平行に配置されている。
【００２２】
このベース板５０の左右の側辺からは逆Ｌ字形断面形状の押え部５２が立設されており、前記張出部４４が該押え部５２と摺動自在に係合している。
ベース板５０には、モータ５４が回転軸５６を上向きにして取り付けられており、この回転軸５６にピニオン５８が固着されている。このピニオン５８はラック４８に噛合しており、モータ５４が回転することによりプレート４０、シリンダホルダ６０，６２及び洗浄ノズル１０，２０が前進又は後退し、該洗浄ノズル１０，２０の前後位置が調節される。
【００２３】
シリンダ１２，２２の上面には、それぞれ図１の通り周方向に第１ウォーム７０と第２ウォーム７２とが設けられている。このウォーム７０，７２と噛合するウォーム８０ｂ，８２ｂがモータ８０，８２の回転軸８０ａ，８２ａに固着されている。このモータ８０，８２は前記プレート４０上に固定設置されている。回転軸８０ａ，８２ａの方向は、当然ながら、シリンダ１２，２２の軸心線と直角に交叉する方向である。このモータ８０，８２を回転させることにより、シリンダ１２，２２が各々軸心回りに回動する。
【００２４】
なお、図１の通り、シリンダ１２，２２の先端開口は非円形でありノズル本体１４，２４もこの非円形となっており、ノズル本体１４，２４はシリンダ１２，２２に対して軸心回りに回動不能となっている。従って、シリンダ１２，２２がその軸心回りに回動すると、ノズル本体１４，２４もシリンダ１２，２２と一体に軸心回りに回動する。
【００２５】
ノズル本体１４，２４が図１の矢印θの通り各々の軸心回りに回動する。これにより臀部に当る温水の位置が左右方向に調節される。この場合、シリンダ１２，２０は旋回しないので、温水洗浄装置のハウジング（ケーシング）内に旋回用のスペースをとることが不要である。
【００２６】
本発明では、この臀部における温水の当る位置の調節はダイヤル操作によって行われるのが好ましい。このダイヤルは、便座ボックスの張出部など、便座着座者の手の届く位置に設けられる。
【００２７】
図５（ａ）は、洋風便器の便座ボックスに本発明の温水洗浄装置を組み込んだ構成を示す斜視図である。この便座ボックス１１０は、洋風便器１１１の便鉢の後部上面に設置される本体１１２と、本体１１２から張り出す張出部１１３とを有し、この張出部１１３の上面にスイッチパネル（銘板）１１４が設けられている。
【００２８】
便座ボックス本体１１２には、図１〜４の温水洗浄装置が組み込まれており、洗浄ノズル１０，２０が前後に配置されている。便座ボックス本体１１２内には温風乾燥ファン（図示略）等が設けられている。また、この本体１１２には、便座１１７、便蓋１１８が上下方向に回動可能に取り付けられている。１１９は洋風便器１１の最後部上面に設置されたロータンクを示す。
【００２９】
張出部１１３上面のスイッチパネル１１４には、図５（ｂ）に示す如く、肛門洗浄（シャワー洗浄）、ビデ洗浄、温風乾燥等の作動をストップさせるストップスイッチ１２０、肛門洗浄用操作スイッチ（シャワースイッチ）１２１、ビデ洗浄用操作スイッチ１２２、温風を吹き出させるドライスイッチ１２３、洗浄の広がりを調整するためのワイド洗浄入／切スイッチ１２４、洗浄位置前後進ダイヤル１２５、洗浄位置左右移動ダイヤル１２６、便座の温度を調整するための便座温度調節スイッチ１２７、洗浄強さを調整するダイヤル１２８、シャワー等の水温を調整する温水温度調節スイッチ１２９等が配置されている。
【００３０】
このダイヤル１２５を指先で回すとモータ５８が駆動し、シリンダ１０，１２が前後進する。ダイヤル１２６を指先で摘んで回すと、モータ８０又は８２が駆動し、シリンダ１０又は１２がその軸心回りに回動して温水の当る位置が左右に調節される。
【００３１】
なお、上記実施の形態にあっては、モータによってシリンダ１０，１２の前後進及び軸心回りの回動を行わせているが、ダイヤルとシリンダとをワイヤで連結し、ダイヤルの回動力をワイヤを介してシリンダに伝達してシリンダ１０，１２の前後進及び軸心回りの回動を行わせてもよい。
【００３２】
【発明の効果】
以上の通り、本発明によると、温水洗浄装置からの噴出温水が臀部に当る位置を左右方向に調節できる。この温水洗浄装置にあっては、ハウジング（ケーシング）内に余分な空所（スペース）をあけておくことが不要である。
【００３３】
本発明によると、温水が当る位置を左右方向で容易に微調節できるよう構成することも可能である。
【図面の簡単な説明】
【図１】実施の形態に係る温水洗浄装置の要部斜視図である。
【図２】前後進機構を備えた該温水洗浄装置の要部斜視図である。
【図３】図２のIII−III線に沿う断面図である。
【図４】図２のIV−IV線に沿う断面図である。
【図５】実施の形態に係る温水洗浄装置を備えた洋風便器の斜視図である。
【符号の説明】
１０  第１洗浄ノズル
２０  第２洗浄ノズル
３０  切替装置
４０  シリンダ連結プレート
４２  脚部
４４  張出部
４６  表面層
４８  ラック
５０  ベース部
５２  押え部
５４  モータ
５８  ピニオン
６０，６２  シリンダホルダ
６４，６６  ガイド孔
７０，７２  ウォーム
８０，８２  モータ
８０ｂ，８２ｂ  ウォームホイール
【図１】
0004254042.tif 000002
【図２】
0004254042.tif 000003
【図３】
0004254042.tif 000004
【図４】
0004254042.tif 000005
【図５】
0004254042.tif 000006